(57)【特許請求の範囲】
【請求項１】
胴布とマチ布とからなる袋状をなし、その側周面に設けられた開口部２にファスナー３からなる開閉部材を有する立体形状の収納ネット１と、該収納ネットの前記開口部近傍に端部を固定され、洗濯物を挟み込むネット状のシート体４とよりなり、前記シート体は丸めた状態で前記収納ネットに収納されるものであり、かつ、前記ネット状のシート体４が、前記開口部の幅とほぼ同じ幅の１対の単位シート体４ａ、４ｂからなり、両単位シート体が共に前記収納ネットの開口部近傍に固定されており、さらに、前記シート体４ａ、４ｂの一方に、挟持されたシャツ等の洗濯物の襟を露出させるための襟出し孔が設けられていることを特徴とする洗濯用具。
【発明の詳細な説明】
【０００１】
【発明の属する技術分野】
本発明は、収納ネット内で洗濯物がねじれることなく使用することができる洗濯用具に関する。
【０００２】
【従来の技術】
従来、洗濯物の保型性を保つために、球状や円柱状に形成された立体形状の洗濯収納ネットがあった（特許文献１参照）。
また、シャツやズボン等の折り目を有する洗濯物の保型性を保つために、シート体で挟みこむ洗濯補助具があった（特許文献２参照）。また、この洗濯補助具に関しては、丸めた状態にしたうえで洗濯するものであった。さらに、丸めた状態にした洗濯物をベルトなどで締め付けて洗濯するものもあった。
【０００３】
【特許文献１】
特許３００７８２６号
【特許文献２】
特許３０９９９５０号
【０００４】
【発明が解決しようとする課題】
これには次のような欠点があった。
立体形状の洗濯収納ネットにおいては、洗濯時における洗濯物の摩擦や浮遊した糸くずなどの付着は防いでいたが、折り目を有する洗濯物に関しては、その折り目を保護することができなかった。
シート体で挟み込む洗濯ネットにあっては、そのシート体が洗濯機の中でねじれ、洗濯物を傷めることがあった。
また、シート体をベルトで丸める洗濯補助具にあっては、ベルトで強力に締めつけられるために、その部分への洗浄効果が低下するという欠点があった。
折り目を有する洗濯物と、その他の洗濯物に対して、一つの洗濯補助具で使い分けられるものがなかった。
本発明は、以上の欠点を解決するためのものである。
【０００５】
【課題を解決するための手段】
本発明の洗濯用具は、胴布とマチ布とからなる袋状をなし、側周面に設けられた開口部２にファスナー３からなる開閉部材を有する立体形状の収納ネット１と、該収納ネットの前記開口部近傍に端部を固定され、洗濯物を挟み込むネット状のシート体４とよりなり、前記シート体は丸めた状態で前記収納ネットに収納されるものであり、かつ、前記ネット状のシート体４が、前記開口部の幅とほぼ同じ幅の１対の単位シート体４ａ、４ｂからなり、両単位シート体が共に前記収納ネットの開口部近傍に固定されており、さらに、前記シート体４ａ、４ｂの一方に、挟持されたシャツ等の洗濯物の襟を露出させるための襟出し孔が設けられていることを特徴とする。
【０００６】
【発明の実施の形態】
以下、添付図面により、本発明を詳細に説明する。
図１〜図５は、本発明の洗濯用具の基本的な使用状態の手順を示す説明図である。
図において、収納ネット１は円柱形状をなしている。収納ネット１は、開口部２を有し、ファスナー３により開閉できるようになっている。
ネット状のシート体４は、シート体４ａとシート体４ｂが折り返し部により折り返して使用できるものである。折りたたんだ状態で、ズボンを挟み込むことができる長方形状となるようになっている。
【０００７】
このシート体４は、図４に示すように、端部が縫合部５により収納ネット１と連結されている。
この洗濯用具の使用方法について、以下に説明する。
この洗濯用具を使用するときは、図１に示すように、収納ネット１の開口部２を開き、不使用時には収納ネット１の内部に収納されているシート体４を開口部２より取り出す。シート体４ａを開き、ズボン１１等の洗濯物をシート体４ｂのうえにズボンの折り目があうように置く。
【０００８】
次に、図２に示すように、折り返し部６に沿ってシート体４ａをズボン１１を挟むように折り曲げ、ズボン１１をシート体４で挟み込む。
次に、図３に示すように、シート体４を開放端部側から丸め込んでいき、収納ネット１の開口部２からシート体４を収納ネット１内に収める。この際、ズボンの折り目は、ネット状のシート体４ａ、４ｂに挟持されているので、その状態を維持する。収納ネット１内に収納した状態で開口部２のファスナー３を閉め、図５に示すような状態となる。
この状態で、洗濯物を内部に収納した収納ネットを洗濯機の中にいれ、洗濯をおこなう。洗濯時においては、立体形状である収納ネット内の余裕空間内でシート体４が動くことができ、洗濯物に満遍なく水流や洗剤が回り、洗濯される。但し、洗濯物は、シート体４により挟み込まれるとともに、収納ネットの形状によりシート体４の丸め方向への動きは可能であるが、左右への動きが制限されるため、折り目の保型性を保持することが可能となっている。
【０００９】
洗濯後は、逆の手順によりシート体４を収納ネット１から取り出したうえで、洗濯物を取り出し、干す。
尚、乾燥機を使用する場合においては、収納ネット１及びシート体４がその材質を耐熱性を有したものにすることにより、洗濯物を乾燥機内に入れることで、保型性を維持した状態で乾燥させることが可能となる。
以上の事例において、シート体４は側辺の方向に折り返し部を形成した構造になっているが、シート体４ａの収納ネット１側の辺をシート体４ｂに縫合することも考えられる。この場合、シート体間の挟持力が向上するという効果を得ることができる。
【００１０】
以下、本発明の洗濯用具について、図６〜図９をもちいて説明する。
本発明の洗濯用具においては、シート体４が上シート体４ａと下シート体４ｂとにより構成されている。上シート体４ａと下シート体４ｂは、収納ネット側端部で収納ネット１に縫合されるとともに、上シート体４ａには、任意の襟付きシャツの襟８を露出させるための襟出し孔７が設けられている。
本発明の洗濯用具は以上のような構成よりなっている。
本発明の洗濯用具の使用方法について、以下に説明する。
【００１１】
本発明の洗濯用具を使用するときは、図６に示すように、シート体４を収納ネット１から取り出した状態で上シート体４ａを上げ、下シート体４ｂの上に、例えば、シャツ９を置く。
次に、上シート体４ａを下ろし、シャツ９の襟８を襟出し孔７から露出させるように配置する。そして、図８、図９に示すように、シート体からはみ出たシャツ部分を上シート体４ａの側辺に沿って折り曲げた上で、前記第一の実施の形態の洗濯用具と同様に、丸め、収納ネット１に収納して使用する。この際、襟８は、上シート体４ａと下シート体４ｂに直接挟まれることがなく、かつ収納ネット１内の余裕空間内でシート体４が広がる為、襟８の保型性を得ることができる。
【００１２】
本発明の洗濯用具は、さらに発展させた付加的な実施の形態も持ち得る。以下にそれについて、図１０〜図１２を用いて説明する。
図１０は、本発明のさらに発展させた付加的な実施の形態の洗濯用具の分解斜視図である。図１１、図１２は、本発明のさらに発展させた付加的な実施の形態の洗濯用具の使用状態図である。
本発明のさらに発展させた付加的な実施の形態の洗濯用具は、図１０に示すように、収納ネット１とシート体４が着脱できるようになっている。シート体４は、上シート体４ａと下シート体４ｂが折り返して使用できるように構成されている。
この場合、上シート体４ａは、下シート体４ｂより短くなっており、スナップ１０（雄１０ａ、雌１０ｂ）により着脱できるようになっている。
【００１３】
下シート体４ｂの延長部の先端裏側には、雌スナップ１０ｂが設けられており、収納ネット１内に取り付けられた雄スナップ１０ａと着脱できるようになっている。また、延長部には雄スナップ１０ａも設けられており、延長部先端を折り返した状態で、下シート体４ｂの延長部の先端裏側に設けた前述雌スナップ１０ｂと着脱できるようになっている。
また、シート体４は耐熱素材よりなるものとすることにより、アイロン１３の使用に耐えられるものとなる。
【００１４】
本発明の洗濯用具のさらに発展させた付加的な実施の形態は、以上の構成よりなる。
本発明の洗濯用具のさらに発展させた付加的な実態の使用方法について、以下に説明する。
本発明のさらに発展させた付加的な実施の形態においては、シート体４（４ｂ）と収納ネット１がスナップ１０で取り付けられるようになっている。
また、図１０に示されるように、上シート体４ａと下シート体４ｂもスナップ１０により固着開閉でき、これを利用して上下シート体をスナップ位置で固定することができる。これにより、洗濯時、洗濯物をより安定的に取り扱うことが可能となっている。
シート体４は、耐熱性を有するものにすることにより、収納ネット１からはずした状態でアイロン台１２にのせ、アイロン１３を利用してアイロンがかけられるようになる。
【００１５】
また、シート体４ｂの延長部にあるスナップ１０を利用することで、図１２に示すように、洗濯後、物干し竿１４に掛けることが可能となっている。この際は、延長部を物干し竿１４に巻きつけ、延長部先端の雌スナップ１０ｂと、延長部にある雄スナップ１０ａを結合させて、物干し竿１４に取り付け吊るして乾燥させることができるようになる。
この際、上下シート体４ａ、４ｂも雄雌スナップ１０ａ、１０ｂで固定されているため、洗濯物を挟んだ状態でシート体４が洗濯物を押さえ込むようになっている。
【００１６】
以上、本発明の各種実施の形態を述べたが、本発明はこれに限定されるものではない。例えば、各種着脱手段及びその位置に関しては、その利用目的を達成するものであればよく、その他にも、本発明の目的を達成されるものであれば、各種公知技術を利用することが可能である。
【００１７】
【発明の効果】
本発明において、シート体でズボンやシャツ等の洗濯物を挟持した状態で収納ネットに収納して洗うので、洗濯ものに皺がよったり、型崩れするのを防ぐことができる。
シート体がアイロン使用に耐えられるものであることにより、洗濯後その状態のままアイロン掛けをすることができる。
シート体が吊り下げ固定機構を有するものであることにより、洗濯後その状態のまま物干しに干すことができる。
【００１８】
【図面の簡単な説明】
【図１】  本発明の洗濯用具の基本的な使用状態の手順を示す説明図でって、シート体が開かれている状態を示す。
【図２】  本発明の洗濯用具の基本的な使用状態の手順を示す説明図であって、シート体が閉じた状態を示す。
【図３】  本発明の洗濯用具の基本的な使用状態の手順を示す説明図であって、丸めたシート体が収納された収納ネットを示す。
【図４】  本発明の洗濯用具の基本的な使用状態の手順を示す説明図であって、その部分断面図である。
【図５】  本発明の基本的な使用状態の手順を示す説明図であって、洗濯用具の洗濯時の状態を示す斜視図である。
【図６】  本発明の洗濯用具の構成を示す斜視図である。
【図７】  本発明の洗濯用具の使用状態を示す斜視図であって、洗濯物（シャツ）をセットし始めた状態を示す。
【図８】  本発明の洗濯用具の使用状態を示す斜視図であって、洗濯物（シャツ）の片側を処置している状態を示す。
【図９】  本発明の洗濯用具の使用状態を示す斜視図であって、洗濯物（シャツ）の両側を処置している状態を示し、洗濯物とシート体とを丸め始める状態を示す。
【図１０】  本発明のさらに発展させた付加的な実施の形態の洗濯用具の使用状態を示す分解斜視説明図であって、両シート体を展開し、洗濯物（ズボン）を適用し始めた状態を示す。
【図１１】  本発明のさらに発展させた付加的な洗濯用具として、シート体に耐熱性のある素材を用いた場合の、アイロンかけが可能となることを示す説明図である。
【図１２】  本発明のさらに発展させた付加的な実施の形態の洗濯用具における、洗濯用具を物干しに干す態様を示す説明図である。
【００１９】
【符号の説明】
１  収納ネット
２  開口部
３  ファスナー
４  シート体
４ａ  上シート体
４ｂ  下シート体
５  縫合部
６  折り返し部
７  襟出し孔
８  襟
９  シャツ
１０  スナップ
１０ａ  スナップの雄
１０ｂ  スナップの雌
１１  ズボン
１２  アイロン台
１３  アイロン
１４  物干し竿
【図１】
0004149786.tif 000002
【図２】
0004149786.tif 000003
【図３】
0004149786.tif 000004
【図４】
0004149786.tif 000005
【図５】
0004149786.tif 000006
【図６】
0004149786.tif 000007
【図７】
0004149786.tif 000008
【図８】
0004149786.tif 000009
【図９】
0004149786.tif 000010
【図１０】
0004149786.tif 000011
【図１１】
0004149786.tif 000012
【図１２】
0004149786.tif 000013